(57)【要約】【課題】  カメラの姿勢によってフォーカシングの精度に差異が発生する。【解決手段】  カメラの姿勢によってフォーカシングの量をスイッチのタイミングを変化せることにより変える。【選択図】        図１
2007004004.tif 000002
【特許請求の範囲】
【請求項１】
被写体距離を測定する測距手段と、焦点距離を可変するズーミング手段と、前記測距手段の情報に基づいてフォーカスレンズ群の繰出し、繰込み動作によって焦点調整を行うフォーカシング手段と、フォーカシングの計数開始を検知するスイッチを有するカメラにおいて、前記スイッチのオン、オフのタイミングがカメラの姿勢に応じて変化することを特徴とするカメラ。
【請求項２】
前記スイッチのオン、オフのタイミングがカメラの姿勢に応じて無段階に変化することを特徴とするカメラ。
【請求項３】
前記スイッチの可動部側に錘が固着されていることを特徴とするカメラ。
【請求項４】
前記スイッチの固定部側の接片がテーパー形状で形成されていることを特徴とするカメラ。
【請求項５】
前記測距手段の情報は同一被写体においてカメラの姿勢に関らず一定であることを特徴とするカメラ。
【発明の詳細な説明】
【技術分野】
【０００１】
本発明はカメラに関し、特にカメラの撮影レンズのピント補正に関するものである。
【背景技術】
【０００２】
従来、カメラの姿勢によるピントのズレを補正する方法として姿勢検出装置を配置したものが提案されている（例えば、下記特許文献１参照。）。それによれば姿勢差検出装置は、例えば図１２に示すような水銀スイッチ６０から成る姿勢センサをカメラの光軸に対しα度及びβ度（β度＝α度＋９０度）傾いて下向き姿勢検出用センサ６０ａ及び上向き姿勢検出用センサ６０ｂとして、カメラ本体に設置する。
【０００３】
すなわち、センサ６０は図１２に示すように円筒容器６１の一端面に一対の金属片６２、６３を貫通し、それぞれの金属片の一端を円筒容器６１の外側へ突出させ、円筒容器６１内の水銀６４を封入して構成されている。
【０００４】
カメラが正位置にあるときは、下向き姿勢検出用センサ６０ａ、及び上向き姿勢検出用センサ６０ｂの水銀６４は円筒容器６１の下端に位置し金属片６２、６３は開放し、カメラが正位置から下向きにα度以上傾くと下向き姿勢検出用センサ６０ａの金属片６２、６３は水銀６４により短絡され、上向き姿勢検出用センサ６０ｂの金属片６２、６３は開放のままである。逆にカメラが正位置から上向きにα度以上傾くと、上向き姿勢検出用センサ６０ｂの金属片６２、６３は水銀６４により短絡され、下向き姿勢検出用センサ６０ａの金属片は開放のままである。よって水銀スイッチ６０ａ、６０ｂのオン、オフの状態により、カメラの姿勢（正位置、下向き、上向き）が検出される。
【０００５】
この検出結果によって予め制御回路に記憶させてある姿勢情報による複数個のフォーカシング量鏡筒部の回転量）を選択する構成となっている。
【特許文献１】特開平６−３００９６２
【発明の開示】
【発明が解決しようとする課題】
【０００６】
しかしながら従来提案された構成の場合は三つの姿勢情報しか得られないとともに姿勢情報による複数のフォーカシング量を記憶させておく必要があるためＣＰＵの容量を消費する。また姿勢検出装置として独立した素子が必要となるためコストが高くなってしまう。
【０００７】
本発明は上述の問題点に着目してなされたものであって、カメラの上下方向に対して無段階に姿勢検知することを可能にし、またそれに対応する複数のフォーカシング量を記憶させておく必要がなく、かつ他に機能を有する部材を併用することにより簡便、安価な姿勢検出装置を備えたカメラを提供することを目的とするものである。
【課題を解決するための手段】
【０００８】
上記課題を解決するため、本発明は、ズームポジションの検知とフォーカシング量（鏡筒部の回転量）を検知するための検出パルスの計数スタート用スイッチであるレンズスタートＳＷのオン，オフのタイミングをカメラの上下方向の姿勢に伴って変化させることによりフォーカシング量を変えカメラの上下方向の姿勢によって生じる撮影レンズのピントのズレを補正するように構成したものであり、次の（１）〜（５）に示すとおりのものである。
【０００９】
（１）被写体距離を測定する測距手段と、焦点距離を可変するズーミング手段と、前記測距手段の情報に基づいてフォーカスレンズ群の繰出し、繰込み動作によって焦点調整を行うフォーカシング手段と、フォーカシングの計数開始を検知するスイッチを有するカメラにおいて、前記スイッチのオン、オフのタイミングがカメラの姿勢に応じて変化することを特徴とするカメラ。
【００１０】
（２）前記スイッチのオン、オフのタイミングがカメラの姿勢に応じて無段階に変化することを特徴とするカメラ。
【００１１】
（３）前記スイッチの可動部側に錘が固着されていることを特徴とするカメラ。
【００１２】
（４）前記スイッチの固定部側の接片がテーパー形状で形成されていることを特徴とするカメラ。
【００１３】
（５）前記測距手段の情報は同一被写体においてカメラの姿勢に関らず一定であることを特徴とするカメラ。
【発明の効果】
【００１４】
１．カメラの姿勢によってスイッチのタイミングを変えてフォーカシング量を変化させるため電気回路の処理が容易で、かつ規模を小さくできる。
【００１５】
２．カメラの姿勢によってスイッチのタイミングが無段階に変化するためフォーカシング量の補正が特定の姿勢のみに限定されない。
【００１６】
３．姿勢検出の部材を他の機能を有する部材と併用しているため安価である。
【発明を実施するための最良の形態】
【００１７】
以下に、本発明を実施するための最良の形態を、実施例に基づいて説明する。
【実施例１】
【００１８】
図１は本発明を含む鏡筒駆動部の配置を表す斜視図である。
【００１９】
１は公知のステップズーム方式の鏡筒部で不図示のレンズ群を摺動可能に内包、保持し、２は連結長ギヤーであり、鏡筒部１とレンズスタートギヤー３とにそれぞれ噛合している。３ａはレンズスタートギヤー３に一体で形成されたレンズスタートギヤー軸で、その一端には偏芯カム４が固着されており、最大偏芯位置においては、後述する錘支持部１１の一部分を押して、後述する可動接触子１１ａの位置を変化させるように配置してある。５は複数のギヤーで構成される減速ギヤー列で、最終段のギヤーはレンズスタートギヤー３と噛合し、最前段のギヤーはピニオンギヤー２１と噛合している。６は公知のＤＣモーター、６ａはＤＣモーター６内部より突出して配置されたモーター軸で、その先端部にはピニオンギヤー２１とパルス板７が圧入されている。８は公知のフォトインタラプター（以下ＰＩと称す）で、投受光部にはパルス板７が回転可能に進入している（減速ギヤー列の保持、及びＤＣモ−タ、ＰＩの固定方法については省略）。
【００２０】
１０はカメラ本体でいうところの前後方向に弾性を有するレンズスタートＳＷ弾性部で、その一端はレンズスタートＳＷ可動部台９に固定されており、またレンズスタートＳＷ可動部台９下部は不図示の鏡筒ギヤー列地板に固定されている。１１は錘支持部で、その一端は、レンズスタートＳＷ弾性部１０の先端部と結合されている。１２は錘１、１３は錘２で、それぞれ錘支持部１１に固着されている。１１ａは錘支持部１１の先端部に一体に形成された可動接触子である。また錘支持部１１はカメラ本体でいうところの全方向に対して１２，１３の錘１，２の重量によっては変形しない剛性を有し、かつ偏芯カム４の押圧では変形可能な弾性を有するように設定されている。
【００２１】
１４はレンズスタートＳＷ固定部台で、１５の取付けビス１、１６の取付けビス２によって不図示の鏡筒ギヤー列地板に固定されるがこのふたつの取付けビス１５，１６が挿入されるビス穴の径は、少なくともひとつは取付けビス軸径に対して充分余裕をもって形成されているため取付け位置の変更が可能である（後述するフォーカシング量の変更に対処するため）。
【００２２】
１７は弾性を有するレンズスタートＳＷ固定部で、その一端はレンズスタートＳＷ固定部台１４に固定され、先端部にはテーパー接片１７ａが可動接触子１１ａに対して適度な角度を持って形成されている。尚、図１１に示す３０は、上述したＳＷ機能部全体を表し、レンズスタートＳＷと称す。上記構成において、以下鏡筒部制御の一連の動作（カメラ全体の動作は省略する）を説明する。
【００２３】
図１１の電気回路ブロック図に表すＷｉｄｅ  ｓｗ３１、あるいはＴｅｌｅ  ｓｗ３２を選択することにより、Ｗｉｄｅ端とＴｅｌｅ端の間に設定されたズームポジション（焦点距離が変化）を任意に選択できる。以下ここでは沈端状態からＭ１状態にするためＴｅｌｅ  ｓｗ３２を選択したとして説明する。
【００２４】
Ｔｅｌｅ  ｓｗ３２をオンするとＤＣモーター６が正転し、ピニオンギヤー２１、減速ギヤー列５、レンズスタートギヤー３、連結長ギヤー２へと伝達されて鏡筒部１を繰出す。この間、偏芯カム４が１回転する毎に、レンズスタートＳＷ３０がオフ、オンを繰返す。
【００２５】
各ズームポジションは、偏芯カム４が１回転、つまりレンズスタートＳＷ３０がオフからオンしたことを検知してひとつのズームポジションと判定するが、詳細については図９のタイミングチャ−ト１を参照して説明する。
【００２６】
偏芯カム４が１回転後つまりレンズスタートＳＷ３０がオフ、オンを１回終了した後（パルス１−ｗｉｄｅ検知）もＴｅｌｅ  ｓｗ３２がオンされ続けていて、かつレンズスタートＳＷ３０が２回目のオンの立上がり前（パルス２−Ｍ１検知）にＴｅｌｅ  ｓｗ３２がオフされた時、ＤＣモーター６は、パルス２の立上がりをトリガとして、パルス板７が回転することによってＰＩ８のより出力されるＰＩパルスを、所定のパルス数Ａをカウントした後逆転（ここでは正転を繰出し方向、逆転を繰込み方向として設定）する。この逆転が開始される時は、パルス２の立下りが確実に発生した後になるように、パルス数Ａは設定されている。
【００２７】
ＤＣモーター６が逆転することにより、偏芯カム４も反転して再びレンズスタートＳＷ３０がオフ、オンをしてパルス３を発生させる。パルス３の立下りをトリガとして、ＰＩパルス数Ｂをカウントして再びＤＣモーター６はＰＩパルス数Ｃの間正転して停止する。この時偏芯カム４の位置はパルス２を発生させる直前の位置に維持されるとともに、鏡筒部１内のレンズ群もＭ１を構成する夫々の位置に保持されている。
【００２８】
ここまでが沈端からＭ１を選択したときのズーミングの動作であるが、他のズームポジションを選択した場合（例えばＴＥＬＥ端状態から他のズームポジションを選択した場合）も全く同じ動作であるため、説明は省略する。
【００２９】
次にフォーカシングについて説明する。
【００３０】
図１１の電気回路ブロック図に表す測距回路１０１からの測距信号が、制御回路１００へ送られることにより、モータードライバー１０２を介してＤＣモーター６に鏡筒部１を繰出す方向に通電される（鏡筒部１が繰出す方向に回転するとピント位置は無限から近距離側に合焦するようにレンズ群は鏡筒部１内に構成されている。）。以下、主として図１０のタイミングチャ−ト２を参照して説明する。
【００３１】
ＤＣモーター６に通電されることによりパルス板７が回転し、ＰＩ８からＰＩパルスが発生するとともに鏡筒部１が繰出される。鏡筒部１が回転を始めて、適度のタイムラグ（前述したパルス数Ｂで設定される）をおいてレンズスタートＳＷ３０がオンし、このオンする立ち上がりをトリガとしてＰＩパルスが所定数カウントされると、ＤＣモーター６への通電がオフされて鏡筒部１の回転が停止してフォーカシングが終了する。このＰＩパルス数は１０１の測距回路によって測定される被写体までの距離によって算出される測距データに基づいて制御回路１００で決定されるが、フォーカシングをスタート（鏡筒部１が回転開始）してからレンズスタートＳＷ３０がオンするまでの時間を変化させることにより、同じ被写体距離でもフォーカシングの量（鏡筒部１の回転量）を実質的に変化させることが可能である。
【００３２】
図１０に示す３つのパタ−ンは、フォーカシング量（鏡筒部１の回転量）を、上方向の被写体＞正面の被写体＞下方向の被写体としたものであるが、以下その方法について図２から図８を参照して説明する。
【００３３】
図２はカメラの正面に被写体（図６に示す）があり、ズーミングが終了した時のレンズスタートＳＷ３０、偏芯カム４の位置を上面から見た図であり、この状態では１２の錘１、１３の錘２の負荷はレンズスタートＳＷ弾性部１０の弾性方向に対して垂直方向に働いているため、レンズスタートＳＷ弾性部１０は直立している。このため可動接触子１１ａが偏芯カム４に押されて、テーパー接片１７ａと当接する位置は、図３で表すようにテーパー接片１７ａの略中央部となる。
【００３４】
次に、カメラを図７に表すように上方向にある被写体に向けた場合、１２の錘１、１３の錘２の負荷は、レンズスタートＳＷ弾性部１０に対して略直角にカメラ後方側に負荷されたことにより、可動接触子１１ａとテーパー接片１７ａの被写体方向に対して直角方向（偏芯カム４に押されて可動接触子１１ａが動く方向）の間隔は、正面に被写体がある場合に比較して狭くなるため、偏芯カム４の回転量が少ない位置で可動接触子１１ａがテーパー接片１７ａと当接する（図４は当接状態を示す）。つまり鏡筒部１の回転量が少ない位置でレンズスタートＳＷ３０はオンする。
【００３５】
同じようにカメラを、図８に示すように、下方向にある被写体に向けた場合、１２の錘１、１３の錘２の負荷はレンズスタートＳＷ弾性部１０に対して略直角にカメラ前方側に負荷されるため、可動接触子１１ａとテーパー接片１７ａの被写体方向に対して直角方向（偏芯カム４に押されて可動接触子１１ａが動く方向）の間隔は、正面に被写体がある場合に比較して広くなり、偏芯カム４の回転量が多くなる位置で可動接触子１１ａがテーパー接片１７ａと当接する（図５は当接状態を示す）。つまり鏡筒部１の回転量が多い位置でレンズスタートＳＷはオンする。
【００３６】
このようにカメラの上下方向の姿勢を変化させた時、可動接触子１１ａとテーパー接片１７ａの当接のタイミングは、偏芯カム４の回転位置に対して無段階に変化する。
【００３７】
尚、カメラの姿勢によって、可動接触子１１ａがテーパー接片１７ａに当接までの偏芯カム４の回転位置に対するタイミングの比率の変更は、レンズスタートＳＷ受側部台１４に形成されたビス穴の穴径が、１５の取付けビス１、１６の取付けビス２のビス軸径に対して大きく形成されているため、可動接触子１１ａに対してテーパー接片１７ａが向き合う角度を変更して固定することによって可能である。
【００３８】
また上述したフォーカシング量の補正の機構は、鏡筒部１内のレンズ群の配置、保持方法、カム形状等の構成上フォーカシング量をカメラが正面を向いている場合と比較して、上向きの場合は多くし、下向きの場合は少なくする必要が生じる場合（通常この現象が多い）を想定したものであるが、鏡筒部１内のレンズ群の配置、保持方法、カム形状等の構成の違いによってはこの限りではなく、極端な例としては全く逆も考えられるものである。
【図面の簡単な説明】
【００３９】
【図１】本発明を含む鏡筒駆動部の配置を表す斜視図
【図２】正面の被写体時のレンズスタートＳＷのオフ状態を示す図
【図３】正面の被写体時のレンズスタートＳＷのオン状態を示す図
【図４】下方向の被写体時のレンズスタートＳＷのオン状態を示す図
【図５】上方向の被写体時のレンズスタートＳＷのオン状態を示す図
【図６】正面の被写体時のカメラの状態を示す図
【図７】上方向の被写体時のカメラの状態を示す図
【図８】下方向の被写体時のカメラの状態を示す図
【図９】本発明の実施例を説明するタイミングチャ−ト１
【図１０】本発明の実施例を説明するタイミングチャ−ト２
【図１１】電気回路ブロック図
【図１２】従来例の水銀スイッチを示す図
【符号の説明】
【００４０】
１  鏡筒部
３  レンズスタートギヤー
４  偏芯カム
５  減速ギヤー列
７  パルス板
８  フォトインタラプター（ＩＰ）
１０  レンズスタートＳＷ弾性部
１１  錘支持部
１１ａ  可動接触子
１４  レンズスタートＳＷ固定部台
１７  レンズスタートＳＷ固定部
１７ａ  テーパー接片
３０  レンズスタートＳＷ
【図１】
2007004004.tif 000003
【図２】
2007004004.tif 000004
【図３】
2007004004.tif 000005
【図４】
2007004004.tif 000006
【図５】
2007004004.tif 000007
【図６】
2007004004.tif 000008
【図７】
2007004004.tif 000009
【図８】
2007004004.tif 000010
【図１２】
2007004004.tif 000011
【図９】
2007004004.tif 000012
【図１０】
2007004004.tif 000013
【図１１】
2007004004.tif 000014